(57)【要約】【課題】陳列された商品の数量にかかわらず常にボリューム感を与えて商品を陳列することができ、かつ、商品の整列に手間のかからない商品陳列具を提供する。【解決手段】この商品陳列具は、種々の商品陳列用の枠体に取り付けることのできる係合片と、該係合片に一端部が固定された、商品を吊り下げるための棒状部材と、該棒状部材の上方に位置し、前記係合片に支持された商品押し出し機構とを含み、前記商品押し出し機構は、それぞれが前記棒状部材の長手方向と直交する方向に伸び、かつ前記棒状部材の長手方向に間隔を置いて配置された一対の軸部材と、該一対の軸部材に回転可能に掛け回された無端ベルト状部材と、該無端ベルト状部材の外面から突出する商品を押し出すための複数の板状部材であって前記無端ベルト状部材に間隔を置いて設けられた板状部材とを含み、前記板状部材は、前記棒状部材を受け入れることのできる切り欠きを有している。【選択図】図１
2009285047.tif 000002
【特許請求の範囲】
【請求項１】
種々の商品陳列用の枠体に取り付けることのできる係合片と、
該係合片に一端部が固定された、商品を吊り下げるための棒状部材と、
該棒状部材の上方に位置し、前記係合片に支持された商品押し出し機構とを含み、
前記商品押し出し機構は、それぞれが前記棒状部材の長手方向と直交する方向に伸び、かつ前記棒状部材の長手方向に間隔を置いて配置された一対の軸部材と、該一対の軸部材に回転可能に掛け回された無端ベルト状部材と、該無端ベルト状部材の外面から突出する商品を押し出すための複数の板状部材であって前記無端ベルト状部材に間隔を置いて設けられた板状部材とを含み、  
前記板状部材は、前記棒状部材を受け入れることのできる切り欠きを有している、商品陳列具。
【請求項２】
商品陳列用の枠体に取り付けることのできる係合片と、該係合片に支持された商品移送機構とを含み、
前記商品移送機構は、一対の軸部材と、該一対の軸部材に回転可能に掛け回された無端ベルト状部材と、該無端ベルト状部材の外面から突出する商品を移送するための複数の板状部材であって前記無端ベルト状部材に間隔を置いて設けられた板状部材と、該板状部材の表面から突出する商品を吊り下げるための突起とを含む、商品陳列具。
【請求項３】
前記無端ベルト状部材は、ベルトまたはチェーンである、請求項１または２に記載の商品陳列具。
【請求項４】
商品陳列用の枠体に取り付けることのできる係合片と、
該係合片に一端部が固定された、商品を吊り下げるための棒状部材と、
該棒状部材の上方に位置し、前記係合片に支持された商品押し出し機構とを含み、
前記商品押し出し機構は、前記棒状部材と並行に延びる直線部分を含む循環経路を規定するレールと、それぞれが前記レールに沿って移動可能に支持された相互に連動可能な商品を押し出すための複数の板状部材とを含み、
前記板状部材は、前記棒状部材を受け入れることのできる切り欠きを有している、商品陳列具。
【請求項５】
前記板状部材は、それぞれが前記レールを移動する移動片と、前記板状部材の表面から突出する突起とを有し、隣り合う前記突起が互いに接触することができる、請求項４に記載の商品陳列具。
【請求項６】
商品陳列用の枠体に取り付けることのできる係合片と、該係合片に支持された、商品移送機構とを含み、
前記商品移送機構は、環状経路を規定するレールと、それぞれが前記レールに沿って移動可能に支持された相互に連動可能な商品を移送するための複数の板状部材と、該板状部材の表面から突出する商品を吊り下げるための突起とを含む、商品陳列具。
【請求項７】
前記板状部材は、それぞれが前記レールを移動する移動片と、前記板状部材から突出する第２の突起とを有し、隣り合う前記第２の突起が互いに接触することができる、請求項６に記載の商品陳列具。
【請求項８】
前記商品押し出し機構は、前記係合片に着脱可能に係合することのできる第２の係合片を有する、請求項１、３−５のいずれか一項に記載の商品陳列具。
【請求項９】
前記商品移送機構は、前記係合片に着脱可能に係合することのできる第２の係合片を有する、請求項２−３、６−７のいずれか一項に記載の商品陳列具。
【発明の詳細な説明】
【技術分野】
【０００１】
本発明は、スーパーやコンビニエンスストア等の店舗において商品を吊り下げた状態で陳列するために用いる商品陳列具に関し、特に商品を前記商品陳列具から抜き取ったときに、残りの陳列商品を手前に移動させる機能を備えた商品陳列具に関する。
【背景技術】
【０００２】
商品を吊り下げた状態で陳列するための商品陳列具として、長軸の棒状部材からなるものが従来周知である。この商品陳列具は、商品を収納する合成樹脂製容器の上端部に設けられた穴や引っ掛け用の切り欠きを棒状部材に通すことで商品を吊り下げ、複数個の商品を連ねて整列させた陳列を行うものである。
【０００３】
商品を購入する者は、吊り下げられた商品のうち、棒状部材の前方に位置する商品を、棒状部材から抜き取ってゆく。このため、商品が順次売れ、数量が少なくなるに従い、棒状部材の後方側にのみ商品が位置するようになるため、商品が取りにくくなる。また、ボリューム感に欠けた陳列となるので、見栄えを維持するために商品を常に棒状部材の前方側に前出しする煩雑な作業が必要となるという問題点を有している。
【０００４】
かかる問題点に対処した商品陳列具として特許文献１に示されるものが知られている。
【０００５】
この商品陳列具は、商品陳列バー６の上方に、吊り下げられた商品を押しつけることのできる操作バー１７が設けられており、操作バー１７を前方に引っ張ることにより、商品を前出しすることを可能にするものである。
【０００６】
これによれば、確かに商品の前出し作業は簡易化されるものの、操作バーを引く前出し作業は必要であり、手間がかかるという問題点が残る。
【発明の開示】
【発明が解決しようとする課題】
【０００７】
本発明は、陳列された商品の数量にかかわらず常にボリューム感を与えて商品を陳列することができ、かつ、商品の整列に手間のかからない上記課題を解決した商品陳列具を提供することを目的とする。
【０００８】
【特許文献１】特開平９−１３５７５４号公報
【課題を解決するための手段】
【０００９】
本発明に係る商品陳列具は、種々の商品陳列用の枠体に取り付けることのできる係合片と、該係合片に一端部が固定された、商品を吊り下げるための棒状部材と、該棒状部材の上方に位置し、前記係合片に支持された商品押し出し機構とを含み、前記商品押し出し機構は、それぞれが前記棒状部材の長手方向と直交する方向に伸び、かつ前記棒状部材の長手方向に間隔を置いて配置された一対の軸部材と、該一対の軸部材に回転可能に掛け回された無端ベルト状部材と、該無端ベルト状部材の外面から突出する商品を押し出すための複数の板状部材であって前記無端ベルト状部材に間隔を置いて設けられた板状部材とを含み、前記板状部材は、前記棒状部材を受け入れることのできる切り欠きを有している。
【００１０】
また、商品陳列具は、商品陳列用の枠体に取り付けることのできる係合片と、該係合片に支持された商品移送機構とを含み、前記商品移送機構は、一対の軸部材と、該一対の軸部材に回転可能に掛け回された無端ベルト状部材と、該無端ベルト状部材の外面から突出する商品を移送するための複数の板状部材であって前記無端ベルト状部材に間隔を置いて設けられた板状部材と、該板状部材の表面から突出する商品を吊り下げるための突起とを含むとすることもできる。
【００１１】
前記無端ベルト状部材は、ベルトまたはチェーンとすることができる。
【００１２】
本発明にかかる商品陳列具は、商品陳列用の枠体に取り付けることのできる係合片と、該係合片に一端部が固定された、商品を吊り下げるための棒状部材と、
該棒状部材の上方に位置し、前記係合片に支持された商品押し出し機構とを含み、
前記商品押し出し機構は、前記棒状部材と並行に延びる直線部分を含む循環経路を規定するレールと、それぞれが前記レールに沿って移動可能に支持された相互に連動可能な商品を押し出すための複数の板状部材とを含み、前記板状部材は、前記棒状部材を受け入れることのできる切り欠きを有しているとすることができる。
【００１３】
前記板状部材は、それぞれが前記レールを移動する移動片と、前記板状部材から突出する第２の突起とを有し、隣り合う前記第２の突起が互いに接触することができる。
【００１４】
本発明にかかる商品陳列具は、商品陳列用の枠体に取り付けることのできる係合片と、該係合片に支持された、商品移送機構とを含み、前記商品移送機構は、環状経路を規定するレールと、それぞれが前記レールに沿って移動可能に支持された相互に連動可能な商品を移送するための複数の板状部材と、該板状部材の表面から突出する商品を吊り下げるための突起とを含ませることができる。
【００１５】
前記板状部材は、それぞれが前記レールを移動する移動片と、前記板状部材から突出する第２の突起とを有し、隣り合う前記第２の突起が互いに接触することができる。
【００１６】
前記商品押し出し機構は、前記係合片に着脱可能に係合することのできる第２の係合片を有することができる。
【００１７】
前記商品移送機構は、前記係合片に着脱可能に係合することのできる第２の係合片を有することができる。
【発明の効果】
【００１８】
本発明に係る商品陳列具は、前記のように商品押し出し機構を有しているので、購入者が商品を棒状部材から抜き取る動作をすると、商品の前方に位置する板状部材が前記棒状部材に沿って前方側に移動させられる。ここで、板状部材は回転可能な無端ベルト状部材に間隔を置いて複数設けられているため、抜き取られた商品の後方に位置する板状部材も前記棒状部材に沿って前方へ移動させられることになる。その結果、棒状部材に吊り下げられた商品全体は前方へ押し出される。
【００１９】
また本発明に係る商品陳列具は、前記のように商品移送機構を有しているので、購入者が商品を板状部材の突起から抜き取る動作、すなわち突起と隣り合う板状部材との接触を解除する位置まで商品を移動させる動作をすると、商品の前方に位置する板状部材も商品に押されて無端ベルト状部材とともに前方側へ移動させられる。ここで、板状部材は回転可能な無端ベルト状部材に間隔を置いて複数設けられているため、商品の後方に位置する板状部材も前方側へ移動させられることになる。その結果、板状部材の突起に吊り下げられた商品全体は前方へ移送される。
【００２０】
以上のように、本発明に係る商品陳列具によれば、商品を抜き取ると同時に陳列商品が前方へ押し出され、もしくは移送されるので、常に商品を前方へ整列させた状態で陳列することができ、かつ、商品を整列するための手間も要しないという効果を有する。
【実施例】
【００２１】
以下、本発明の実施例を図面を参照して詳細に説明する。図１から図４は、本発明の第１実施例を示し、図１は商品陳列具の斜視図、図２は図１に示す商品陳列具の分解斜視図である。なお、本明細書において「前方」とは、商品を取り外す方向、すなわち、係合片から棒状部材が突き出る方向を意味する。
【００２２】
商品陳列具２は、コの字状の係合片４と、該係合片に一端部が固定された棒状部材６と、該棒状部材の上方に位置する商品押し出し機構８とからなる。
【００２３】
棒状部材６は、商品を吊り下げるための部材であり、係合片に固定されていない他端部は、吊り下げられた商品の滑り落ちを防止するために斜め上方に折り曲げられている。
【００２４】
商品押し出し機構８は、無端ベルト状部材１０と、該無端ベルト状部材の表面から突出して設けられた複数の板状部材１２とを含む。また、係合片４の上方に伸びて一体的に設けられた支持部材１４には一対の軸部材１６が設けられており、前記無端ベルト状部材はこの一対の軸部材の周りに回転可能に掛け回されている。
【００２５】
無端ベルト状部材１０には、ゴムなどの弾性材からなるベルトを採用することができる。
【００２６】
板状部材１２は、無端ベルト状部材１０の表面全体に渡り、複数枚が間隔を置いて設けられている。また、無端ベルト状部材と接していない板状部材の端部にはＵ字形状の切り欠き１８が設けられている。
【００２７】
商品押し出し機構８と棒状部材との６両者の位置関係は、板状部材に設けられたＵ字形状の切り欠きが棒状部材を受け入れるよう設計されている。
【００２８】
第１実施例における商品陳列具２の使用状態を説明する。図３は、商品陳列具２に商品２０が陳列された状態で示す斜視図である。図４は、商品陳列具２を商品陳列用の枠体２２に複数個取り付けた状態で示す正面図および側面図である。
【００２９】
商品２０は、図３（Ａ）に示されるように商品の上端部に設けられた穴部２４を商品陳列具の棒状部材６に通すことにより、吊り下げられた状態で保持されている。また、個々の商品は、それぞれが隣り合う板状部材で形成される空間に位置するよう陳列されている。
【００３０】
また個々の商品陳列具２は、図４に示されるように、商品陳列用の枠体２２に取り付けられている。本実施例における枠体２２は、バー部材２６を有しており、このバー部材に係合片４を上から嵌め込み係合させることにより、商品陳列具２は枠体２２に取り付けられている。
【００３１】
本実施例における枠体は、バー部材を有するものを採用したが、この形態に限られない。例えば係合片を係合させる穴やフックを有した壁材を採用してもよい。この場合、係合片の形状もコ字形状に限らず、適宜設計変更することができる。
【００３２】
図３は、本実施例における商品陳列具２から商品を抜き取るときに、吊り下げられた商品２０が押し出される状態を説明する斜視図であり、商品が抜き取られる前の状態（Ａ）と、抜き取られた後の状態（Ｂ）とを並べて示している。
【００３３】
図３（Ａ）の状態において、最も前方に吊り下げられた商品を抜き取るべく、購入者が商品を棒状部材に沿って矢印２１の方向に移動させると、商品の前方に位置する板状部材が商品に押されて無端ベルト状部材とともに矢印２３の方向に回転移動する。この結果、図３（Ｂ）に示されるように、商品全体が板状部材に押されて棒状部材に沿って前方へ押し出される。
【００３４】
このように、本実施例における商品陳列具２によれば、商品を抜き取ると同時に陳列商品が前方へ押し出されるため、常に商品を前方へ整列させた状態で陳列させることができ、かつ商品を整列するための手間も要しないという効果を有する。
【００３５】
本実施例における無端ベルト状部材１０にはベルトを採用したが、軸部材１６の周りを回転可能であれば、いかなる構成を有する部材であってもよい。例えば、図５および図６に示されるように、チェーン２８を採用してもよい。
【００３６】
また本実施例において、支持部材１４は係合片４と一体的に設けられているが、これらを別体として設けてもよい。例えば、図７に示されるように、係合片４に係合することのできる第２の係合片３０を支持部材１４に設けてもよい。
【００３７】
図８および図９は、本発明の第２実施例である商品陳列具３２を斜視図および分解斜視図で示したものである。第１実施例と同一の構成部材には、同一の符号を付してある。
【００３８】
第２実施例における商品陳列具３２は、商品移送機構３３を有する点で第１実施例と大きくことなり、具体的には、板状部材１２の形状が異なっている。すなわち、第２実施例は、棒状部材６を有しておらず、その代わりに、板状部材１２が商品を吊り下げるための突起３４を表面に有している。
【００３９】
突起３４は、板状部材１２の表面から商品を移送する矢印３６の方向へ突出している。第１実施例と同様に、無端ベルト状部材１０、板状部材１２および突起３４は、矢印３６の方向へ回転するが、その軌跡が曲線を描かかない位置、すなわち直線を描く位置において、前記突起は矢印３６の方向に位置する隣り合う板状部材と接触している。すなわち、突起と板状部材との接触は、突起が曲線の軌跡を描き始める３８で示す位置に来るまで解除されない。したがって、突起３４に吊り下げられた商品は、３８で示す位置まで移送されて初めて、商品陳列具３２から取り外すことが可能となる。
【００４０】
図１０は、第２実施例における商品陳列具３２から商品を抜き取るときに、吊り下げられた商品２０が移送される状態を説明する斜視図であり、商品が抜き取られる前の状態図（Ａ）と、抜き取られた後の状態図（Ｂ）とを並べて示している。
【００４１】
図１０（Ａ）の状態において、最も前方に吊り下げられた商品を抜き取るべく、購入者が商品を矢印３５の方向に移動させると、商品の前方に位置する板状部材が商品に押されて無端ベルト状部材とともに移動させられる。この結果、図１０（Ｂ）に示されるように、突起に吊り下げられた商品が板状部材とともに矢印３６の方向へ移送される。
【００４２】
このように、本実施例における商品陳列具３２によれば、商品を抜き取ると同時に、陳列商品が前方へ移送されるため、常に商品を前方へ整列させた状態で陳列させることができ、かつ商品を整列するための手間も要しないという効果を有する。
【００４３】
図１１および図１２は、本発明の第３実施例である商品陳列具４０を示す斜視図および分解斜視図である。これまでに示した実施例と同一の構成部材には、同一の符号を付してある。
【００４４】
第３実施例は、第１実施例である商品陳列具２と、商品押し出し機構８を有する点で共通するが、商品押し出し機構８の構造は異なる。特に板状部材１２の支持構造が異なっている。すなわち、支持部材１４には、一対の軸部材１６の代わりに、循環経路を規定するレール４２が設けられており、このレールに沿って移動可能なように板状部材１２が支持されている。
【００４５】
図１２（Ｂ）は、１つの板状部材１２を示す斜視図である。板状部材１２は、商品を押し出す方向、すなわち矢印４８に示す方向に突出した移動片４４および突起４６を有している。移動片４４がレール４２内に嵌め込まれることにより、板状部材１２は支持部材に支持される。突起４６は、互いに隣り合う板状部材と接触することにより、個々の板状部材同士の距離を一定に確保している。
【００４６】
図１３および図１４は、本発明の第４実施例である商品陳列具５０を示す斜視図および分解斜視図である。これまでに示した実施例と同一の構成部材には、同一の符号を付してある。
【００４７】
第４実施例は、第２実施例である商品陳列具３２と、商品移送機構３３を有する点で共通するが、商品移送機構３３の構造が異なる。すなわち、支持部材１４には、一対の軸部材１６の代わりに、循環経路を規定するレール４２が設けられており、このレールに沿って移動可能なように板状部材１２が支持されている。
【００４８】
板状部材１２は、第２実施例と同様に、商品を吊り下げるための突起３４を表面に有している。すなわち、突起３４は、レールが直線を規定する部分に位置するときには、隣り合う板状部材と接触しており、この接触は、レールが曲線を規定する部分に突起が位置するまで解除されない。
【００４９】
また、板状部材１２は、移動片４４および第２の突起５２を有している。移動片４４がレール４２内に嵌め込まれることにより、板状部材１２は支持部材に支持される。第２の突起５２は、互いに隣り合う板状部材と接触することにより、個々の板状部材同士の距離を一定に確保している。
【００５０】
レール４２の前方端には、プライスカード５４が設けられている。プライスカードホルダ５４は、周知の嵌合部品５６を介して、レール４２に固定されている。
【００５１】
プライスカードホルダ５４は、第４実施例にのみ設けられているが、第１〜３実施例においても適宜設けることができる。
【００５２】
以上、本発明の商品陳列具について、その実施例に基づいて説明したが、本発明は上記実施例に記載した構成に限定されるものではなく、その趣旨を逸脱しない範囲において適宜その構成を変更できるものである。
【図面の簡単な説明】
【００５３】
【図１】本発明に係る商品陳列具の第１実施例を示す斜視図。
【図２】図１に示した商品陳列具の分解斜視図。
【図３】図１に示した商品陳列具に商品を吊り下げた状態で示す斜視図。
【図４】図１に示した商品陳列具を枠体に取り付けた状態で示す正面図および側面図。
【図５】図１に示した商品陳列具における無端ベルト状部材の変形例を示す斜視図。
【図６】図５に示した商品陳列具の分解斜視図。
【図７】図１に示した商品陳列具における支持部材の変形例を示す斜視図。
【図８】本発明に係る商品陳列具の第２実施例を示す斜視図。
【図９】図８に示した商品陳列具の分解斜視図。
【図１０】図８に示した商品陳列具に商品を吊り下げた状態で示す斜視図。
【図１１】本発明に係る商品陳列具の第３実施例を示す斜視図。
【図１２】図１１に示した商品陳列具の分解斜視図。
【図１３】本発明に係る商品陳列具の第４実施例を示す斜視図。
【図１４】図１３に示した商品陳列具の分解斜視図。
【符号の説明】
【００５４】
２、３２、４０、５０      商品陳列具
４                        係合片
６                        棒状部材
８                        商品押し出し機構
１０                      無端ベルト状部材
１２                      板状部材
１６                      軸部材
１８                      切り欠き
２２                      枠体
２８                      チェーン
３３                      商品移送機構
３４                      突起
４２                      レール
４４                      移動片
５２                      第２の突起
【図１】
2009285047.tif 000003
【図２】
2009285047.tif 000004
【図３】
2009285047.tif 000005
【図４】
2009285047.tif 000006
【図５】
2009285047.tif 000007
【図６】
2009285047.tif 000008
【図７】
2009285047.tif 000009
【図８】
2009285047.tif 000010
【図９】
2009285047.tif 000011
【図１０】
2009285047.tif 000012
【図１１】
2009285047.tif 000013
【図１２】
2009285047.tif 000014
【図１３】
2009285047.tif 000015
【図１４】
2009285047.tif 000016